(57)【要約】      （修正有）【課題】出没式筆記具において、摩耗抑制、液密気密を確保する為に、筆記具本体が接しながら擦れ合い移動する摺接部分に難揮発性液状物を配置するものに於いて、ペン先側を下向きにして放置されたり、ペン先の出没、収納を繰り返し行われたりすることで、難揮発性液状物が筆記具本体の外周面から、筆記具本体の先端に挿入されたペン先に接触、浸透し、難揮発性液状物がペン先内のインキと混ざり合いインキをはじき、筆跡を薄くしてしまう問題を解消する。【解決手段】先端にペン先３を有する筆記具本体２を外装体１内に前後動自在に配置し、操作によって外装体先端開口部１ａよりペン先３を突出・没入するよう筆記具本体２を前後動させる際に、筆記具本体２が他部材に対して摺接する出没式筆記具において、前記摺接部分に難揮発性液状物を介在させると共に、当該摺接部とペン先３との間に環状の難揮発性液状物に対する移動規制部を配置した出没式筆記具とした。【選択図】図１
2010105371.tif 000002
【特許請求の範囲】
【請求項１】
先端にペン先を有する筆記具本体を外装体内に前後動自在に配置し、操作によって外装体先端開口部よりペン先を突出・没入するよう筆記具本体を前後動させる際に、筆記具本体が他部材に対して摺接する出没式筆記具において、前記摺接部分に難揮発性液状物を介在させると共に、当該摺接部とペン先との間に環状の難揮発性液状物に対する移動規制部を配置した出没式筆記具。
【請求項２】
前記移動規制部が環状の変径部である請求項１に記載の出没式筆記具。
【請求項３】
前記難揮発性液状物に対する移動規制部が、前記難揮発性液状物を毛細管力によって保持する細孔である請求項１又は請求項２に記載の出没式筆記具。
【請求項４】
前記難揮発性液状物に対する移動規制部が、摺接部より算術平均粗さ（Ｒａ）が大きい部分である請求項１〜請求項３のいずれかに記載の出没式筆記具。
【発明の詳細な説明】
【技術分野】
【０００１】
本発明は、先端にペン先を有する筆記具本体を外装体内に前後動自在に配置し、操作によって外装体先端開口部よりペン先を突出・没入するよう筆記具本体を前後動させる際に、筆記具本体が他部材に対して摺接する出没式筆記具に関するものである。
【背景技術】
【０００２】
特許文献１には、外装体内に、前後動可能に設置されたペン先を有する筆記具本体を、操作により交互に外装体先端より出没させる多芯式筆記具が開示されている。そしてこの多芯式筆記具は、筆記具本体が前後動する際に、互いに摺接する部分に難揮発性液状物層を形成している。
また、特許文献２には、筆記具の軸筒に対して着脱自在なキャップの内面に難揮発性液状物を塗布し、キャップ内面に塗布した難揮発液状物により、キャップ内面と軸筒表面との摩擦係数が低下し、軸筒表面の損傷や印刷、塗装膜の剥離の防止、表面処理が不完全な場合の腐蝕防止が可能なキャップ式筆記具が開示されている。
【特許文献１】特開平９−２０７４９４号公報
【特許文献２】実開昭６２−１５４９８２号公報
【発明の開示】
【発明が解決しようとする課題】
【０００３】
特許文献１に記載の発明では、ペン先を下向きにして放置されたり、ペン先の出没が繰り返し行われたりすることで、筆記具本体同士が互いに摺接する部分に配置された難揮発性液状物が重力や出没操作に係る摺接によって、筆記具本体の外周面を伝わり先端のペン先に到達してしまうことがあった。難揮発性液状物がペン先に達してしまうと、難揮発性液状物がペン先内のインキと混ざり合ったり、インキをはじいたりしてしまい、筆跡を薄くしてしまう問題があった。
また、特許文献２に記載の発明には、筆記具本体の外面に凹みが形成されているが、キャップ式の場合、キャップを外したり、嵌めたりする動作によってはペン先にキャップ内面が接触したり、把持した手を介して、難揮発性液状物が凹みより前の前軸に付着したりすることで、難揮発性液状物がペン先に付着したり、ペン先近傍の前軸に付着したりするものであり、難揮発性液状物がペン先に達してしまい接触してしまうことがあり、特許文献１の場合と同様に難揮発性液状物がペン先内のインキと混ざり合って、筆記面にインキがのらなかったり、筆跡を薄くしてしまう問題があった。
【課題を解決するための手段】
【０００４】
即ち、本発明は、先端にペン先を有する筆記具本体を外装体内に前後動自在に配置し、操作によって外装体先端開口部よりペン先を突出・没入するよう筆記具本体を前後動させる際に、筆記具本体が他部材に対して摺接する出没式筆記具において、前記摺接部分に難揮発性液状物を介在させると共に、当該摺接部とペン先との間に環状の難揮発性液状物に対する移動規制部を配置した出没式筆記具を要旨とする。
【発明の効果】
【０００５】
筆記具本体は外装体内に収容されていて、筆記具本体の摺接部に介在する難揮発性液状物が直接手などに接触することなく、筆記具本体の摺接部とペン先との間に、環状の難揮発性液状物に対する移動規制部を設けることで、難揮発性液状物が筆記具本体の外周面を伝わりペン先側への流れていく際の障害となり、難揮発性液状物がペン先へ接触・侵入することを抑制することで、筆記面にインキがのらなかったり、筆跡を薄くしてしまうことを極力抑制するものである。
【０００６】
環状の難揮発性液状物に対する移動規制部が、筆記具本体の径が異なる変径部であることによって、ペン先に至るまでの道のりを増大させることができ、また、径が変化していることによって、凹み又は凸部分が形成されることとなるので、難揮発性液状物の障壁を形成することにもなり、難揮発性液状物の進行を抑制することができる
【０００７】
また、難揮発性液状物に対する移動規制部が、前記難揮発性液状物を毛細管力によって保持する細孔である場合、細孔の毛細管力によって、細孔に至った難揮発性液状物が吸収保持され、それ以上の進行を抑制することができる。
【０００８】
更に、難揮発性液状物に対する移動規制部が、摺接部より算術平均粗さ（Ｒａ）が大きい部分とすることにより、難揮発性液状物に対して濡れのよい部分を形成することなり、算術平均粗さ（Ｒａ）が大きい移動規制部からの移動を抑制することができるものである。
【発明を実施するための最良の形態】
【０００９】
筆記具本体は、先端にペン先を備え、内部にインキを収容する部材である。ペン先としては、ボールペン、繊維収束体、ウレタンなどの多孔質体、連通孔を有する合成樹脂製ペン先など適宜使用可能である。また、インキの収容方法は、繊維収束体などのインキ吸蔵体に浸透させたり、インキ吸蔵体などを使用せずに、本体内に直接自由状態で収容してもよい。使用されるインキも、着色剤として染料及び／又は顔料が使用でき、主媒体も水、有機溶剤が適宜使用できる。
【００１０】
筆記具本体を動かす操作は、出没式筆記具の後端に配置したノック部材や、側部にスライド機構を設けるなど、公知の方法を種々採用できるものである。また、部材間にコイルスプリングなどの弾撥部材を配置して、操作による駆動や、蓋部材の密閉性の一助とすることもできる。
【００１１】
筆記具本体の他部材に対する摺接部は、多芯筆記具の場合の筆記具本体同士の間、出没式筆記具の場合の外装体の先端開口部と筆記具本体との間、筆記具本体と外装体との間、筆記具本体と外装体との間に配置された部材との間などが挙げられる。多芯筆記具の場合、軸径を細くするために、筆記具本体を摺接させ、出没式筆記具の場合は、ペン先ガタを抑制するため、外装体の先端径を細くして、筆記具本体のペン先を摺接させる。
【００１２】
摺接部によりペン先の収容空間を密閉するものは、外装体の先端開口部を開放・液密気密閉塞する蓋部材が必要である。この外装体の先端開口部を開放・液密気密閉塞する蓋部材は、筆記具本体の前後動と連動してペン先の収容空間の先端開口部を開放・液密気密閉塞する。即ち、筆記具本体が前進する時にはペン先の収容空間の先端開口部を開放してペン先が突出可能となし、筆記具本体が後退して、ペン先の収容空間に収容された状態でペン先収容空間の先端開口部を閉塞する。
蓋部材は、蝶番によって外側又は内側に開く扉であっても良いし、部材の中心部分を軸にして回転することによってシャッター式に開閉するものであっても良い。ペン先の収容空間の先端開口部の内側から開口部の内縁に接して密閉する構造であると、温度変化などによって、蓋が閉まっている状態で密閉室内の内圧が高まった際にも不意に蓋部材が開放してしまうことを抑制するものとなる。更に、部材の中心部分を軸にして回転するものとすると、回転半径を極小とすることができるので、筆記具自体を細身のものとする際にも都合がよい。また、摺接部によりペン先の収容空間を密閉するものの場合、筆記具本体の他部材に対する摺接部は、ペン先の収容空間を液密気密に密閉するために、接する部分の少なくとも一方を、合成樹脂やゴム、エラストマー等で形成することができる。特に、ブチルゴムにて形成すると、耐薬品性・耐ガス性に優れている為、良好に密閉が行われる。また、摺接部は一個でも複数個でもよく、複数個にすることによって、密閉の確実性を向上させることができる。
【００１３】
摺接部に配置される難揮発性液状物としては、凝固点が−２２℃以下、沸点が１４５℃以上、粘度が１０〜５０００００ＭＰａ・ｓ（２０℃）の範囲のものであれば良く、合成潤滑油、鉱物油、グリセリン、リノール酸、リノレン酸、オレイン酸等の不飽和脂肪酸や各種飽和脂肪酸より構成される大豆油、菜種油、コーン油、紅花油、米油、綿実油、胡麻油、ピーナッツ油、オリーブ油、パーム油等の植物油などが挙げられ、合成潤滑油としては、Α−オレフィン（ポリ−Α−オレフィン）、ポリブテン（ポリイソブチレン）、アルキルベンゼンなどの炭化水素系合成潤滑油、ジエステル（二塩基酸エステル）、ポリオールエステル（ヒンダードエステル）などの脂肪酸エステル系合成潤滑油、シリコーンオイル、ケイ酸エステル、シランなどのシリコーン系合成潤滑油、クロロフルオロカーボン、パーフルオロポリエーテル、フルオロエステルなどのフッ素系合成潤滑油、フェニルエーテル、リン酸エステルなどが挙げられる。これらは、単独もしくは複数を混合して使用することもできる。また、これらをゲル化したものであってもよい。
特に、摺接部を構成する部材に合成樹脂やゴム、エラストマー等が使用されている場合には、インキ等の溶剤に対して化学的に安定で、離型性、非粘着性の性質を持ち、表面張力が低く物質表面で広がりやすい性質を持つポリジメチルシロキサン、ポリメチルハイドロジェンシロキサン、ポリメチルフェニルシロキサン、環状ジメチルシロキサンなどのストレートシリコーンオイルや、側鎖及び又は両末端を有機基により変性させた、アミノ変性、エポキシ変性、カルビノール変性、メルカプト変性、カルボキシル変性、メタクリル変性、ポリエーテル変性、フェノール変性、シラノール変性、アラルキル変性、フロロアルキル変性、長鎖アルキル変性高級脂肪酸エステル変性、高級脂肪酸含有などの変性シリコーンオイルが好適に使用される。また、ポリジメチルシロキサン、ポリメチルハイドロジェンシロキサン、ポリメチルフェニルシロキサン、環状ジメチルシロキサンなどのストレートシリコーンオイルは、温度による粘度変化が少ないので、環境変化等に影響され難いものである
【００１４】
難揮発性液状物に対する移動規制部は、難揮発性液状物がペン先に至ることを抑制するものであり、筆記具本体に変径部を環状に形成してもよい。変径部により難揮発性液状物の移動距離を長くすることで、変径部より前へ難揮発性液状物が進行するのを抑制するものである。変径部を段形状とした場合には、その縦断面形状は三角、四角等の多角形状や円形、楕円形状の一部と種々採用できる。段部分の壁の立ち上がり角度が９０°以上であると、難揮発性液状物の拡張ぬれに対してより進行の抵抗とすることができる。また、難揮発性液状物に対する移動規制部は１個であっても、複数個であっても良く、複数個にするとより一層抑制効果を得るものとすることができる。
また、難揮発性液状物に対する移動規制部は難揮発性液状物を毛細管力によって保持する細孔であれば良い。形成方法としては、２つ以上の凸部による壁の間に細孔を設けたものであっても、溝や凹部により微小な隙間を設けたものであっても良い。細孔により、毛細管力を発現させ、毛細管力により難揮発性液状物を溜めるものとすることができ、難揮発性液状物がペン先に至ることを抑制するものである。凸部の形状や大きさ、溝や凹部の形状や深さは適宜設定できるものである。細孔の大きさは、難揮発性液状物の表面張力により、適宜設定され、細孔の深さは、難揮発性液状物の塗布量に応じて適宜設定される。
また、連続的に形成されていても良いし、間隔を持って形成されていても良く、ペン先と摺接部との間に形成されていれば良く、複数個にすると一層抑制に効果を得るものとすることができる。また、巾の違う２段の隙間であったり、深さが深くなるとだんだん巾が小さくなるように、テーパー状になっていても良いし、階段状に多段の隙間であっても良く、隙間が小さくなればそれだけ毛細管力も大きくなり、より細孔に難揮発性液状物を維持しやすいものとすることができる。
【００１５】
また、難揮発性液状物に対する移動規制部は、微小な穴を軸心に向かって環状に多数個配置したものであっても、多孔性の浸透材料を環状に配置したものであっても良い。多孔により毛細管力を発現させ、毛細管力により難揮発性液状物を溜めるものとすることができ、難揮発性液状物がペン先に至ることを抑制するものである。この場合、穴の断面形状は円形の他、三角形、四角形などの多角形状でも良く、穴の数や深さは、難揮発性液状物の塗布量に応じて適宜設定される
【００１６】
また、難揮発性液状物に対する移動規制部が摺接部より算術平均粗さ（Ｒａ）が大きい部分であっても、難揮発性液状物は移動規制部が摺接部より算術平均粗さ（Ｒａ）が大きい部分であるので、難揮発性液状物に対する移動規制部でぬれ拡がり、難揮発性液状物を難揮発性液状物に対する移動規制部内に滞留させることができる。このことにより、難揮発性液状物がペン先に至ることを抑制するものである。移動規制部が摺接部より算術平均粗さ（Ｒａ）が大きい部分とする方法としては、物理的手段と化学的手段等が挙げられる。物理的な手段としては、直接研磨紙等を用いてあらしたり、ブラスト加工したり、樹脂成形品であれば金型をブラスト加工等で梨地加工したものでもあっても良い。また、化学的な手段としては、エッチング処理や微粒子を表面に付着させるといった方法が挙げられる。いずれも移動規制部が摺接部より算術平均粗さ（Ｒａ）が大きい部分であれば良く、単独に使用しても良いし、複数組み合わせて使っても良い。
なお、上記の方法を単独または複数組み合わせても良い。
【実施例】
【００１７】
図１に一例を示す。
外装体１内には筆記具本体２を前後動自在に配置している。筆記具本体２は、先端にペン先３を備え、内部後方にインキを吸蔵させた吸蔵体４を収容し、ペン先３の後端は吸蔵体４の先端に挿入状に接続しており、筆記具本体２の後端は尾栓５により閉塞されている。尾栓５は、筆記具本体２と螺合により着脱自在とし、気密に装着されており、筆記具本体２の内部に収容される吸蔵体４を交換可能なものとしている。つまり、インキが消費された時に吸蔵体４を交換することができ、製品を使い捨てることなく、繰り返し使用することができるので、廃棄物を少なくし、環境に優しく経済的にも有用なものとすることができる。
【００１８】
筆記具本体２は、ペン先３がカシメ固定されたペン先ホルダー６が先端に挿入されている小径部２ａと吸蔵体４を収容する大径部２ｂとからなっている。小径部２ａと大径部２ｂとの間には肩部２ｃがある。肩部２ｃと小径部２ａとの間には複数のリブが形成されており、小径部２ａの撓みを抑制する。
【００１９】
図１のＩ部拡大図である図２にも示すように、ペン先３は、内部にインキ通路を形成した合成樹脂製の押出成形品であり、金属製のペン先ホルダー６にカシメ固定され、ペン先ホルダー６と共に筆記具本体２の先端孔に圧入されている。なお、筆記具本体２の先端孔内側は、空気交換が可能なように空気流通溝が形成されている。また、筆記具本体２の先端孔内側にはペン先ホルダー６の圧入位置を決めるための段部が形成されており、その段部を利用し、合成樹脂製ペン先とは違った繊維収束体からなるペン先も挿入、固定可能なようにしている。
【００２０】
外装体１の先端開口部１ａの近傍内部には、合成樹脂製の蓋部材７が配置されている。蓋部材７は、部材の略中心位置に形成した回転軸にて、外装体１内に固定されており、回転軸を中心にして、回転可能に配置されている。蓋部材７は、外装体１の先端開口部１ａに配置されたブチルゴム製のＯ−リング８との密閉部である蓋部７ａ、ペン先が通過し得る開放部７ｂと側面部７ｃとからなっている。蓋部材７の側面部７ｃの内側には内側突起７ｄが形成され、側面部７ｃの外側には回転軸の周りに外側突起７ｅが形成されている。蓋部材７の内側突起７ｄは側面部７ｃの後端側に形成されている。蓋部材７の後方には、合成樹脂製の環状部材９が配置され、さらに後方にはブチルゴム製の弾性気密部材１０が配置され、弾性気密部材１０と環状部材９とは当接することにより接続されている。
【００２１】
筆記具本体２の肩部２ｃに一端を当接させて、コイルスプリング１１が、小径部２ａを覆うように配置されており、筆記具本体２はコイルスプリング１１によって後方に付勢されている。コイルスプリング１１のもう一端は弾性気密部材１０に当接し、弾性気密部材１０はコイルスプリング１１の弾発力によって前方に付勢されている。コイルスプリング１１の前方への弾発力は、弾性気密部材１０を介して、弾性気密部材１０と接続された環状部材９に伝わり、蓋部材７の外側突起７ｅへと伝えられる。弾性気密部材１０の外側には外側周状当接部１０ａと接触傾き防止周状当接部１０ｂが設けられており、内側には内側周状当接部１０ｃが２個設けられている。外側周状当接部１０ａが外装体１の内壁面と、内側周状当接部１０ｃが筆記具本体２の小径部２ａの外周面と当接し、摺接部としている。
【００２２】
摺接部には、難揮発性液状物として凝固点が−５０℃以下、沸点が２００℃、粘度が１０，０００ｍＰａ・ｓ（２０℃）であるポリジメチルシロキサンが塗布されており、気密性と摺動の低摩擦係数とを実現している。また、２個形成された内側周状当接部１０ｃの間、外側周状当接部１０ａと接触傾き防止周状当接部１０ｂとの間にも、難揮発性液状物が配置されており、筆記具本体や弾性気密部材の摺動を良好なものとしている。筆記具本体２の繰り返しの前後動に対しても、摺接部に難揮発性液状物が供給され、継続的に摺動性が維持している。また、弾性気密部材１０の内側周状当接部１０ｃは２個（複数個）形成されているので、筆記具本体の小径部との密閉をより確実なものとしている。Ｏリング８と蓋部材７の蓋部７ａとの周状当接と、弾性気密部材１０の外側周状当接部１０ａと外装体１の内壁面との周状当接と、弾性気密部材１０の内側周状当接部１０ｃと筆記具本体２の小径部２ａの外周面との周状当接とにより、ペン先を気密状態に維持している。また、弾性気密部材１０は蓋部材７に近い位置に配置されているので、ペン先３の収容空間を小さいものとし、収容空間内でのペン先乾燥を極力抑制するものである。特に、細いペン先の場合には、ペン先の収容空間の大きさが収容空間内でのペン先乾燥に大きく影響するので、より効果的にペン先乾燥を抑制するものである。
【００２３】
筆記具本体２の後方には係止用突起２ｄと解除用突起２ｅとが形成されている。外装体１の後方にはクリップ１２が取り付けられており、クリップ１２の先端内部にはギア部材１３が取り付けられている。ギア部材１３は外装体１の側壁に形成された孔１ｂを通じて、筆記具本体２の係止用突起２ｄと嵌り合うことができるようになっている。尾栓５を押圧操作すると、筆記具本体２はコイルスプリング１１の弾発力に抗しながら前進する。筆記具本体２の小径部２ａの先端には傾斜面２ｆが設けられており、傾斜面２ｆと蓋部材７の内側に設けられた内側突起７ｄとが衝接し、筆記具本体２の前進を受けて、回転軸を中心に蓋部材７は回転する。蓋部材７の開放部７ｂと外装体１の先端開口部１ａが合わさった状態で、内側突起７ｄと傾斜面２ｆの衝接が解除され、内側突起７ｄが小径部２ａの側面に沿って移動する。蓋部材７の回転は止まり、開放状態が維持される。筆記具本体２がさらに前進すると、ペン先３は外装体１の先端開口部１ａより突出する。蓋部材７が回転することに伴い、蓋部材７の外側突起７ｅが環状部材９の端面と衝接し、環状部材９と環状部材９に当接により接続された弾性気密部材１０は、コイルスプリング１１の弾発力に抗しながら後方に移動する。なお、蓋部材７の内側突起７ｄは側面部７ｃの後端側に形成されており、内側突起７ｄと傾斜面２ｆとが衝接する位置を蓋部材７の側面部７ｃの後方に位置させることができるので、傾斜面２ｆより前側の長さを長くできる。つまり、蓋部材７の内部空間をペン先３の収容空間として効率良く利用できるものであり、ペン先出長さを長く維持できるものである。また、外装体１の内壁の径は、弾性気密部材１０の外側周状当接部１０ａと当接している部分よりやや後方から拡径している。蓋部材７の回転、開放作動に伴い、弾性気密部材１０が後方に移動するにつれて、外側周状当接部１０ａは、外装体１の内壁との当接を解除しながら後方に移動する。蓋部材７によりペン先３の収容空間が閉塞されている時に、外装体１の内壁と弾性気密部材１０とは外側周状当接部とが密接していたが、外装体１の内壁の径が弾性気密部材１０の外側周状当接部１０ａと当接している部分よりやや後方から拡径していることで、弾性気密部材１０が後方に移動する際の、外装体１の内壁との摺動抵抗をより小さく抑えることができるものである。弾性気密部材１０の接触傾き防止周状当接部１０ｂは、弾性気密部材１０が後方に移動する際の傾きを防止している。ペン先３が突出された時、筆記具本体２に形成された係止用突起２ｄとギア部材１３とが係止され、ペン先３の突出状態を維持する。再度、尾栓５を押圧操作すると、さらに筆記具本体２が前進することで、筆記具本体２に形成された解除用突起２ｅがギア部材１３に接触して押し上げ、係止用突起２ｄとギア部材１３との係止状態が解除される。係止状態が解除されることにより、コイルスプリング１１の弾発力により筆記具本体２が後方に移動し、ペン先３は没入状態となる。係止状態の解除により、筆記具本体２が後方に移動し、内側突起７ｄが小径部２ａに沿っている面から離脱すると同時に、コイルスプリング１１の弾発力により、弾性気密部材１０は前方に移動する。弾性気密部材１０が前方に移動すると、弾性気密部材１０に当接することで接続している環状部材９も前方に移動し、コイルスプリング１１の弾発力を蓋部材７の外側に形成された外側突起７ｅへ伝え、蓋部材７を、ペン先突出時とは逆に回転させ、蓋部材７の蓋部７ａにより外装体１の先端開口部１ａを閉塞する。この時、ペン先３は蓋部材７内に収容されており、ペン先３が回転する蓋部材７に接触することなく、ペン先を傷めることはない。また、Ｏリング８や弾性気密部材１０は、ブチルゴム以外、イソブチレンゴム、ブタジエンゴム、スチレン・ブタジエンゴム、二トリルゴム、クロロプレンゴム、ブチルゴム、エチレンプロピレンゴム、クロロスルホン化ポリエチレン、塩素化ポリエチレン、アクリルゴム、シリコンゴム、アクリロニトリルブタジエンゴム、ウレタンゴム、フッ素ゴム、エピクロロヒドリンゴム、多硫化ゴムや、オレフィン系熱可塑性エラストマー、スチレン系熱可塑性エラストマーのゴムやエラストマー等が例示でき、インキ吸蔵体に収容されるインキに対する耐薬品性、密閉性に影響する耐ガス透過性に優れているのであれば良いが、ブチルゴムであると耐薬品性、耐ガス透過性ともに優れているので良好な密閉を行うことができる。ブチルゴムであると耐薬品性、耐ガス透過性ともに優れており、特にハロゲン化ブチルゴムは圧縮永久歪みが小さいので、摺動の際の弾性変形を、静止時には元の形状に戻りやすく、良好な密閉と摺動を行うことができるものである。
【００２４】
筆記具本体２の前側部には、変径部として環状の凹部２ｇを形成している。凹部２ｇのペン先側の壁は、難揮発性液状物が、筆記具本体２の前後動や重力によって、筆記具本体の外周面を伝わり、ペン先側へ落ちてきた時に、難揮発性液状物の移動距離を長くすることで、それより前への難揮発性液状物の進行を抑制する難揮発性液状物に対する移動規制部として機能する。さらに、凹部２ｇの後方の径よりも、ペン先側の径を太くすると、難揮発性液状物がペン先へとながれるのをより防ぐことが出来るものとなる。
【００２５】
図４に他の一例を示す。また、図５に図４のＩＩ部拡大図を示す。
外装体１内に、筆記具本体２を前後動自在に配置している。筆記具本体２は、先端にペン先３を備え、内部の後方に塗布液を吸蔵させた吸蔵体４を収容し、ペン先３の後端は、吸蔵体４の先端部分に挿入状に接続している。また、筆記具本体２の後方外側には、側孔より外装体１の外に露出したクリップ部２ｈが形成され、クリップ部２ｈ先端には係止用突起２ｉが形成されている。筆記具本体２の前進後退に応じて、外装体１の側壁に形成した、筆記具本体２の前進位置係止用凹部１ｃと後退位置係止用凹部１ｄに、クリップ部２ｈの係止用突起２ｉが係合して、ペン先３の外装体１の先端開口部１ａからの突出状態と収容状態を形成する。また、外装体１の内壁には、環状突起１ｅが形成され、筆記具本体に対する摺接部としている。
【００２６】
外装体１の先端開口部近傍の内部には、蓋部材７が収容されている。この蓋部材７は、外装体１の先端開口部１ａに配置されたブチルゴム製のＯ−リング８と周状当接して該開口部１ａを閉塞し、前述の外装体１の環状突起１ｅと筆記具本体の外周面との摺接部とによってペン先密閉室１４を形成している。
蓋部材７は、部材の略中心位置に形成した回転軸（図示せず）にて外装体１内に固定されており、回転軸を中心にして回転可能に配置されている。また、蓋部材７は、筆記具本体２に対する衝接部（図示せず）を有しており、筆記具本体２の前進を受けて回転軸を中心に回転し、蓋部材７の開放部分を外装体１の先端開口部とあわせてペン先密閉室１４を開放する。そして筆記具本体２が前進して、ペン先３が外装体１の先端開口部１ａより露出することとなる。
【００２７】
筆記具本体２は、外形としてペン先３を収容する部分である前側の小径部２ａと吸蔵体４を収容する部分としての大径部２ｂとを有し、両者の間を肩部２ｃとしている。この肩部２ｃに一端を当接させて、小径部２ａを覆うようにコイルスプリング１１が配置されている。コイルスプリング１１のもう一方の端部は、バネ受け部材１５を介して蓋部材７を付勢しており、バネ受け部材１５と蓋部材７とは互いに衝接部（図示せず）を有している。筆記具本体２が後退すると、筆記具本体２による蓋部材７への前側方向の押圧力が解除されるが、この際にコイルスプリング１１の弾撥力が、バネ受け部材１５、衝接部を介して蓋部材７に付与され、蓋部材７を、開口部１ｃを開放させたときとは逆回転させて、開口部１ａを閉塞状態に戻す。
【００２８】
外装体１の内壁の環状突起１ｅは、筆記具本体２の外壁に形成されている環状の凹部２ｇに当接して摺接部を形成している。その摺接部には難揮発性液状物として、凝固点が−５０℃以下、沸点が２００℃、粘度が１０，０００ｍＰａ・ｓ（２０℃）であるポリジメチルシロキサンが塗布されており、気密性と摺動の低摩擦係数とを実現している。
筆記具本体２の環状の凹部２ｇは、長手方向ペン先側の壁部２ｈと長手方向後方の壁部２ｉとを有しており、筆記具本体２が外装体１より出没するために前後動する際には、外装体１の環状突起１ｅが壁部２ｈと長手方向後方の壁部２ｉとの間を摺動する。この凹部２ｇに位置する摺接部に配置された難揮発性液状物は、凸部分としての壁部２ｈを乗り越えてペン先側に進行し難くなっている。つまり、壁部２ｈが難揮発性液状物の進行を抑制する難揮発性液状物に対する移動規制部として機能する。また、同様に、後方の壁部２ｉは、後方への難揮発性液状物の進行を抑制し、難揮発性溶剤の無用な濡れ広がりによって摺接部において難揮発性溶剤が不足する事態を抑制している。
【００２９】
図１に記載した発明に使用する形態を用いて、各種難揮発性液状物を塗布したサンプルをペン先出没動作１０００回実施した後サンプルとして使用した。
【００３０】
（ペン先出没動作後の筆跡確認）
サンプルを筆記し、筆跡の状態を確認した。
【００３１】
【表１】
2010105371.tif 000003
【００３２】
筆記具本体の摺接部は、密閉部も兼ねているため、鏡面に近い方が液密、気密が維持される。そのため、算術平均粗さ０．５〜５．０μｍであれば良く、好ましくは０．５〜３．０μｍであれば良い。
また、難揮発性液状物の移動規制部は、算術平均粗さ１０μｍ〜３０μｍが好ましい。筆記具本体の摺接部と難揮発性液状物の移動規制部の算術平均粗さが、上記範囲の組合せであると、難揮発性液状物に対する移動規制部でぬれ拡がり、難揮発性液状物を難揮発性液状物に対する移動規制部内に滞留させることができる。このことにより、難揮発性液状物がペン先に至ることを抑制するものである。
【図面の簡単な説明】
【００３３】
【図１】一例を示す縦断面図。
【図２】図１におけるＩ部の拡大図。
【図３】図１の例のペン先突出・没入の一連の動作図。
【図４】他の一例を示す縦断面図。
【図５】図４におけるＩＩ部の拡大図。
【符号の説明】
【００３４】
１      外装体
１ａ    先端開口部
１ｂ    孔
１ｃ    前進位置係止用凹部
１ｄ    後退位置係止用凹部
１ｅ    環状突起
２      筆記具本体
２ａ    小径部
２ｂ    大径部
２ｃ    肩部
２ｄ    係止用突起
２ｅ    解除用突起
２ｆ    傾斜面
２ｇ    凹部
３      ペン先
４      吸蔵体
５      尾栓
６      ペン先ホルダー
７      蓋部材
７ａ    蓋部
７ｂ    開放部
７ｃ    側面部
７ｄ    内側突起
７ｅ    外側突起
８      Ｏリング
９      環状部材
１０    弾性気密部材
１０ａ  外側周状当接部
１０ｂ  接触傾き防止周状当接部
１０ｃ  内側周状当接部
１１    コイルスプリング
１２    クリップ
１３    ギア部材
１４    クリップ
１５    ギア部材
【図１】
2010105371.tif 000004
【図２】
2010105371.tif 000005
【図３】
2010105371.tif 000006
【図４】
2010105371.tif 000007
【図５】
2010105371.tif 000008